(57)【特許請求の範囲】
【請求項１】
屋外と連通し空気を取り入れるダクトと、
前記ダクトに接続され、前記ダクトから供給される空気が導入される本体と、
第１フィルター及び前記第１フィルターが収容される枠体を有する外気清浄フィルターユニットと、
第２フィルター及び前記外気清浄フィルターユニットが収納されて、前記本体に取り付けられる外気フィルターフレームと、
を有し、
前記外気フィルターフレームは、
前記外気清浄フィルターユニットが上下に引き出し自在となるように、前記外気清浄フィルターユニットの側面と対向する部分が凹状に形成され、
前記本体に前記外気フィルターフレームが取り付けられた状態において、前記外気フィルターフレームの上部が水平方向と略平行になっており、
前記外気清浄フィルターユニットが収納された状態において前記枠体の下端部の上流側に設けられ、水を貯留する第１のプールと、前記外気清浄フィルターユニットが収納された状態において前記枠体の下側に設けられ、前記第１のプールよりも大きい第２のプールとを有し、
前記第１フィルターは、
メッシュフィルター及び前記メッシュフィルターよりも細かい塵埃を除去する外気清浄フィルターを有し、
前記メッシュフィルターは、
正面下側に前記第１のプールが位置するように、前記枠体内の前面に配置され、
前記外気清浄フィルターは、
下側に前記第２のプールが位置するように、前記枠体内であって前記メッシュフィルターの後ろ側に配置され、
前記第１フィルター及び前記第２フィルターは、
前記ダクトから前記本体に供給された空気の流れ方向に対して垂直に設けられる
ことを特徴とする換気装置。
【請求項２】
前記外気フィルターフレームは、
前記本体に前記外気フィルターフレームが取り付けられた状態において、
前記外気フィルターフレームの側面が鉛直方向と略平行になっている
ことを特徴とする請求項１に記載の換気装置。
【請求項３】
前記外気フィルターフレームは、
前記外気清浄フィルターユニットの下側に設けられる基部と、
前記外気清浄フィルターユニットの一方の側面を保持し、前記基部の一方の端部側に立設される第１側面部と、
前記外気清浄フィルターユニットの他方の側面を保持し、前記基部の他方の端部側に立設される第２側面部と、
前記第１側面部の上部と前記第２側面部の上部とを接続し、水平方向に対して平行な梁部とから構成され、
前記本体は、
前記第１側面部を保持する第１取付面部と、
前記第２側面部を保持する第２取付面部と、
前記梁の上部を保持する第３取付面部とが形成される
ことを特徴とする請求項２に記載の換気装置。
【請求項４】
前記外気フィルターフレームは、
鉛直方向に伸びるように前記第１側面部の外側に形成される第１係部と、
鉛直方向に伸びるように前記第２側面部の外側に形成される第２係部と、
水平方向に伸びるように前記梁の上側に形成される第３係部とを有し、
前記本体は、
前記第１取付面部に設けられ、前記本体に前記外気フィルターフレームが取り付けられた状態において前記第１係部が押しつけられる第１係止部と、
前記第２取付面部に設けられ、前記本体に前記外気フィルターフレームが取り付けられた状態において前記第２係部が押しつけられる第２係止部と、
前記第３取付面部に設けられ、前記本体に前記外気フィルターフレームが取り付けられた状態において前記第３係部が押しつけられる第３係止部とが設けられた
ことを特徴とする請求項３に記載の換気装置。
【請求項５】
前記第１係部、前記第２係部及び前記第３係部は、
リブで構成し、
前記第１係止部、前記第２係止部及び前記第３係止部は、
前記リブが装着される第１パッキンで構成した
ことを特徴とする請求項４に記載の換気装置。
【請求項６】
前記基部と前記本体との接触部には、
前記ダクトから供給される空気と、前記基部の下側の空気とが混合しないようにする第２パッキンが設けられる
ことを特徴とする請求項３〜５のいずれか一項に記載の換気装置。
【請求項７】
前記第１側面部には、
前記外気清浄フィルターユニットの前側面の一端側を保持するための第１壁部が形成され、
前記第２側面部には、
前記外気清浄フィルターユニットの前側面の他端側を保持するための第２壁部が形成され、
前記外気清浄フィルターユニットは、
前記第１壁部及び前記第２壁部に保持されて、前記外気フィルターフレームに着脱可能に設けられている
ことを特徴とする請求項１〜６のいずれか一項に記載の換気装置。
【請求項８】
前記第１側面部には、
前記第２フィルターの一端側を保持するための第１溝部が形成され、
前記第２側面部には、
前記第２フィルターの他端側を保持するための第２溝部が形成され、
前記第２フィルターは、
前記第１溝部及び前記第２溝部に保持されて、前記外気フィルターフレームに着脱可能に設けられている
ことを特徴とする請求項１〜７のいずれか一項に記載の換気装置。
【請求項９】
前記外気清浄フィルターユニットの前記枠体は、
前記第１フィルターが収納されるメッシュフィルターフレームと、
前記第１フィルターが収納され、前記メッシュフィルターフレームの下流側に設けられる外気清浄フィルター保持枠とから構成されている
ことを特徴とする請求項１〜８のいずれか一項に記載の換気装置。
【請求項１０】
前記基部には、
当該基部の上側と下側とを断熱するための断熱材が設けられ、
前記断熱材には、
前記外気フィルターフレームを前記本体に取り付け、取り外しする際のハンドルが設けられている
ことを特徴とする請求項３〜９のいずれか一項に記載の換気装置。
【請求項１１】
前記基部には、当該基部の下面側に第４係部が設けられ、
前記本体には、前記第４係部を支持する第４係止部が設けられ、
前記外気フィルターフレームは、
前記第４係部が、前記第４係止部に支持されて前記本体内に取り付けられる
ことを特徴とする請求項３〜１０のいずれか一項に記載の換気装置。
【請求項１２】
前記外気フィルターフレームには、
前記外気清浄フィルターユニットの上流側に虫ストック部が形成されている
ことを特徴とする請求項１〜１１のいずれか一項に記載の換気装置。
【発明の詳細な説明】
【技術分野】
【０００１】
本発明は、換気装置に関するものである。
【背景技術】
【０００２】
従来の換気装置には、導入される外気に含まれる虫を除去するためのメッシュフィルターが設けられたメッシュフィルターユニットと、外気に含まれる粉塵を集塵するための外気清浄フィルターとを本体に備えたものが提案されている（たとえば、特許文献１参照）。
特許文献１に記載の技術は、メッシュフィルターユニットが外気取入れ口に配置され、外気清浄フィルターが外気フィルターケースに格納され、メッシュフィルターユニットの隣接する下流側に配置されているものである。
【０００３】
また、従来の換気装置には、当該換気装置内に排気風路と給気風路とが交差するように形成され、この交差位置に、外気に含まれる粉塵を集塵するためのフィルターなどが設けられる外気フィルターユニットが配置されたものが提案されている（たとえば、特許文献２参照）。
特許文献２に記載の技術は、当該換気装置内に排気風路と給気風路とが交差するように形成されているため、当該交差箇所において、排気と給気とが混合しないようにするために気密性を確保する部品（パッキンなど）が設けられている。
また、特許文献２に記載の技術は、冬季のように外気温度が低い場合などにおいて、給気風路と排気風路との境界で排気する空気が冷やされ結露することを抑制するための断熱材が設けられている。
【０００４】
さらに、特許文献２に記載の技術は、外気フィルターユニットと換気装置本体との気密面（気密部）として、熱交換素子の斜め面を含んでいる。そのため、外気フィルターユニットの装着状態においては、当該斜め面から水平方向の反力を受ける。これにより、組み付けバラツキなどが発生し、外気フィルターユニットと換気装置本体との気密保持ができなくなる可能性があるので、バラツキを吸収するためのパッキンが設けられている。
【先行技術文献】
【特許文献】
【０００５】
【特許文献１】特許第３９７９３４１号公報
【特許文献２】国際公開番号ＷＯ２０１０／０９５２３７  Ａ１
【発明の概要】
【発明が解決しようとする課題】
【０００６】
特許文献１に記載の技術は、メッシュフィルターユニットと、外気清浄フィルターとが独立して本体に設置される構成となっている。そのため、ユーザーがメッシュフィルター及び外気清浄フィルターを清掃する際には、メッシュフィルターユニットと外気清浄フィルターとの両方を取り出す必要があった。すなわち、特許文献１に記載の技術は、清掃の際に、メッシュフィルターユニットを取り出す作業と、外気清浄フィルターを取り出す作業とが必要となる分、メンテナンス性が損なわれてしまう可能性があった。
また、特許文献１に記載の技術は、メッシュフィルターを清掃する際に、メッシュフィルターユニットを２部品に分解しなければならない。すなわち、特許文献１に記載の技術は、清掃の際に、メッシュフィルターユニットの分解する作業と、当該分解したメッシュフィルターユニットを換気装置に設置するための組立たて作業とが必要となる分、メンテナンス性が損なわれてしまう可能性があった。
【０００７】
特許文献２に記載の技術は、排気と給気とが混合しないようにするために気密性を確保するパッキン、結露することを抑制するための断熱材、バラツキを吸収するためのパッキンなどが設けられており、その分部品点数が多くなり、製造コストが高くなる可能性があった。
【０００８】
本発明は、以上のような課題を解決するためになされたもので、製造コストの上昇を抑制しながら、メンテナンスしやすい換気装置を提供することを目的としている。
【課題を解決するための手段】
【０００９】
本発明に係る換気装置は、屋外と連通し空気を取り入れるダクトと、ダクトに接続され、ダクトから供給される空気が導入される本体と、第１フィルター及び第１フィルターが収容される枠体を有する外気清浄フィルターユニットと、第２フィルター及び外気清浄フィルターユニットが収納されて、本体に取り付けられる外気フィルターフレームと、を有し、外気フィルターフレームは、外気清浄フィルターユニットが上下に引き出し自在となるように、外気清浄フィルターユニットの側面と対向する部分が凹状に形成され、本体に外気フィルターフレームが取り付けられた状態において、外気フィルターフレームの上部が水平方向と略平行になっており、外気清浄フィルターユニットが収納された状態において枠体の下端部の上流側に設けられ、水を貯留する第１のプールと、外気清浄フィルターユニットが収納された状態において枠体の下側に設けられ、第１のプールよりも大きい第２のプールとを有し、第１フィルターは、メッシュフィルター及びメッシュフィルターよりも細かい塵埃を除去する外気清浄フィルターを有し、メッシュフィルターは、正面下側に第１のプールが位置するように、枠体内の前面に配置され、外気清浄フィルターは、下側に第２のプールが位置するように、枠体内であってメッシュフィルターの後ろ側に配置され、第１フィルター及び第２フィルターは、ダクトから本体に供給された空気の流れ方向に対して垂直に設けられるものである。
【発明の効果】
【００１０】
本発明に係る換気装置によれば、第２フィルター及び外気清浄フィルターユニットが収納されて、本体に取り付けられる外気フィルターフレームを有しているので、外気フィルターフレームを本体から取り出すことで、第１フィルター及び第２フィルターを同時に取り出すことができ、メンテナンスしやすくなっている。
本発明に係る換気装置によれば、外気フィルターフレームは、本体に外気フィルターフレームが取り付けられた状態において、外気フィルターフレームの上部が水平方向と略平行になっているので、外気フィルターフレームが本体に取り付けられても、水平方向の反力が発生することが抑制され、組み付けバラツキを抑制することができる。これにより、組み付けバラツキの抑制のためのパッキンなどの部品を設けなくてもよい分、部品点数を抑制することができ、製造コストの上昇を抑制することができる。
【図面の簡単な説明】
【００１１】
【図１】本発明の実施の形態に係る換気装置の設置例を示す概略図である。
【図２】本発明の実施の形態に係る換気装置の主要部の概要構成例図である。
【図３】図２に示す換気装置の据付状態における斜視図である。
【図４】図２に示す換気装置から外気フィルターユニットを取り出した状態の斜視図である。
【図５】図４に示す外気フィルターユニットの斜視図である。
【図６】図５の点線Ｖにおける外気フィルターユニットの断面図である。
【図７】図５に示す外気フィルターユニットの分解斜視図である。
【図８】図５に示す外気フィルターフレームの斜視図及び断面図である。
【図９】図５に示す外気清浄フィルターユニットの斜視図及び断面図である。
【図１０】図５に示すメッシュフィルターフレームの斜視図及び断面図である。
【図１１】図５に示す外気清浄フィルター保持枠の斜視図及び断面図である。
【図１２】メッシュフィルターフレームと外気清浄フィルター保持枠の嵌合機構の説明図である。
【図１３】外気フィルターユニットを取り外した状態における換気装置の断面図である。
【図１４】外気フィルターユニットを取り付けた状態における換気装置の断面図である。
【発明を実施するための形態】
【００１２】
以下、本発明の実施の形態を図面に基づいて説明する。
実施の形態．  
図１は、実施の形態に係る換気装置の設置例を示す概略図である。本実施の形態に係る換気装置１００は、メンテナンスをしやすくする改良が加えられたものである。まず、換気装置１００の設置例及び各種ダクトとの接続関係などについて図１を参照して説明する。
換気装置１００は、たとえば、建物内の屋根裏空間又は１階天井裏空間に設置されるものである。本実施の形態では、図１に示す廊下に対応する位置の天井裏空間に設置されているものとする。
【００１３】
換気装置１００は、外気を導入するための外気給気口２、外気給気口２を介して換気装置１００に取り込まれた外気を室内に供給するための室内給気口３、室内の空気を取り込む室内排気口４、及び室内排気口４から取り込まれた室内空気を排出する室外排気口５に接続されている本体１を備えている。より詳細には、換気装置１００は、外気ダクト２３Ａを介して外気給気口２に接続され、給気ダクト２４Ａを介して室内給気口３に接続され、排気ダクト２２Ａを介して室外排気口５に接続されている。なお、室内排気口４については、図１に示すように、たとえばダクト（図示省略）などを介して本体１に接続される。
【００１４】
なお、図１では、一例として、外気給気口２がベランダ側の外に連通するように設けられ、室外排気口５がベランダ側と反対側の外に連通するように設けられたものを図示しているが、それらに限定されるものではない。また、図１では、一例として、和室、リビングダイニングキッチン、第１の洋室、第２の洋室、トイレに、室内給気口３が設けられたものを図示しているが、それに限定されるものではない。
【００１５】
換気装置１００は、外気給気口２より外気ダクト２３Ａを介して導入した外気に混入している粗塵、虫、花粉など（以下では、粗塵などと称するものとする）を除去する機能を有する。そして、換気装置１００は、粗塵などを除去した空気を、給気ダクト２４Ａを介して室内給気口３から室内に供給可能となっている。
【００１６】
外気給気口２は、たとえば、外気給気口２付近に浮遊している粗塵などが混入している外気を導入するためのものである。外気給気口２は、一方が外気ダクト２３Ａに接続され、他方がベランダ側の室外と連通している。
室内給気口３は、換気装置１００で粗塵などが除去された空気を供給するためのものである。室内給気口３は、一方が給気ダクト２４Ａに接続され、他方が室内の各部屋に連通している。
室内排気口４は、室内の空気を本体１に導入するためのものである。室内排気口４は、一方がダクトなどを介して本体１と連通し、他方が室内の廊下に連通している。なお図１では、室内排気口４が本体１と同様に廊下に配置された場合を図示しているが、それに限定されるものではない。
室外排気口５は、室内排気口４から換気装置１００に導入された室内空気を排出するためのものである。室外排気口５は、一方が排気ダクト２２Ａに接続され、他方がベランダ側とは反対側の室外に連通している。
【００１７】
外気ダクト２３Ａは、換気装置１００と外気給気口２とを接続するためのものである。外気ダクト２３Ａは、一方が外気給気口２に接続され、他方が換気装置１００に接続されている。
給気ダクト２４Ａは、換気装置１００と室内給気口３とを接続するためのものである。給気ダクト２４Ａは、一方が室内給気口３に接続され、他方が換気装置１００に接続されている。
排気ダクト２２Ａは、換気装置１００と室外排気口５とを接続するためのものである。排気ダクト２２Ａは、一方が室外排気口５に接続され、他方が換気装置１００に接続されている。
【００１８】
［構成説明］
図２は、実施の形態に係る換気装置１００の主要部の概要構成例図である。図３は、図２に示す換気装置１００の据付状態における斜視図である。図４は、図２に示す換気装置１００から外気フィルターユニット２５を取り出した状態の斜視図である。図２〜図４を参照して換気装置１００の構成について説明する。
換気装置１００は、外郭を構成する本体１と、外気を取り込むための第１送風機１２と、室内空気を取り込むための第２送風機１４と、本体１に導入した外気と給気とを熱交換させる熱交換素子部１１と、本体１内に導入した外気を清浄する外気フィルターユニット２５と、本体１の下面の一部を構成するパネル２６と、パネル２６に設けられる排気用フィルター２１とを有している。
なお、換気装置１００は、本体１内に、熱交換素子部１１などを保持する熱交換素子部ケーシング５１（図１３及び図１４参照）を有しているが、これについては、図１３及び図１４にて説明する。
【００１９】
（本体１）
本体１は、換気装置１００の外郭を構成するものであり、第１送風機１２、第２送風機１４、熱交換素子部１１、及び外気フィルターユニット２５などが搭載されるものである。本体１には、外気ダクト２３Ａに接続される外気ダクト接続口２３が設けられ、給気ダクト２４Ａに接続される給気ダクト接続口２４が設けられ、排気ダクト２２Ａに接続される排気ダクト接続口２２が設けられている。なお、図３及び図４に示すように、給気ダクト接続口２４が複数形成された例を図示したが、その形成される数は図３及び図４に限定されるものではない。
【００２０】
本体１は、給気風路及び排気風路を有している。すなわち、本体１には、外気ダクト接続口２３、外気フィルターユニット２５、熱交換素子部１１、第１送風機１２及び給気ダクト接続口２４を連通する給気風路を有するとともに、排気用フィルター２１、熱交換素子部１１及び第２送風機１４及び排気ダクト接続口２２を連通する排気風路を有している。なお、給気風路における空気の流れは図２に示すＳに対応し、排気風路における空気の流れは、図２に示すＥに対応している。
本体１には、図４に示すように、外気フィルターユニット２５を支持するための受け部７１が設けられている。この受け部７１は、外気フィルターユニット２５が換気装置１００に設置された状態において、後述する外気フィルターユニット２５のフィックスピース１０８に対応する位置に設けられている。
本体１には、外気フィルターユニット２５が本体１に設けられた際に、給気風路の気密性を向上させるパッキン５２と、本体１内に取り込まれた室内空気と外気フィルターユニット２５に供給された外気とが混合してしまうことを抑制する図示省略のパッキン７２とが設けられている（図１３及び図１４参照）。
【００２１】
（第１送風機１２及び第２送風機１４）
第１送風機１２及び第２送風機１４は、本体１に空気を取り込み、放出するものである。第１送風機１２は回転するファン１２Ａ及びファン１２Ａを回転させる電動機１２Ｂにより構成され、第２送風機１４は、回転するファン１４Ａ及びファン１４Ａを回転させる電動機１４Ｂにより構成されている。
第１送風機１２は、給気風路であって熱交換素子部１１の下流側に設けられている。また、第２送風機１２は、排気風路であって熱交換素子部１１の下流側に設けられている。
【００２２】
（熱交換素子部１１）
熱交換素子部１１は、本体１に導入した外気（給気）と、室内の空気（排気）とを熱交換させるものである。すなわち、熱交換素子部１１は、排気の熱量を給気で回収する機能を有しているものである。なお、熱交換素子部１１に流入した外気（給気）と、室内の空気（排気）とは混合しないように構成されている。
熱交換素子部１１は、給気風路に連通するとともに、排気風路に連通するように設けられている。そして、熱交換素子部１１は、給気風路において、外気フィルターユニット２５の下流側であって第１送風機１２の上流側に設けられている。また、熱交換素子部１１は、排気風路において、排気用フィルター２１の上流側であって第２送風機１４の下流側に設けられている。
【００２３】
（外気フィルターユニット２５）
外気フィルターユニット２５は、空気中の粗塵などを除去するものである。すなわち、外気フィルターユニット２５は、空気中の粗塵などを除去するフィルターを有しており、本体１内に導入した空気中の粗塵などを当該フィルターで除去することができるものである。外気フィルターユニット２５は、給気風路において、熱交換素子部１１の上流側に設けられている。
外気フィルターユニット２５の下部には、図４に示すように、気密性を向上させるパッキン１８２、外気フィルターユニット２５を取り出す際に保持するためのハンドル１０３、外気フィルターユニット２５を本体１内に取り付けるためのフィックスピース１０８などが設けられている。
【００２４】
外気フィルターユニット２５は、図３に示すように、本体１に取り付けられた状態において、その下部が排気用フィルター２１によって覆われる。そして、外気フィルターユニット２５は、排気用フィルター２１を開放することで下部が露出する。そして、ユーザーは、排気用フィルター２１を開放し、外気フィルターユニット２５の下部が露出させて、ハンドル１０３を持って外気フィルターユニット２５を本体１から引き出し可能となっている。
外気フィルターユニット２５は、本体１に設けられている状態において、受け部７１によって支持される。すなわち、外気フィルターユニット２５のフィックスピース１０８が、受け部７１によって支持されるため、外気フィルターユニット２５が本体１内に取り付けられるようになっている。フィックスピース１０８を９０度回転させることで、受け部７１からの支持が解除され、外気フィルターユニット２５を本体１から取り外すことが可能となっている。
外気フィルターユニット２５の構成などについては、後ほどの図５〜図１１の説明で詳述する。
【００２５】
（パネル２６）
パネル２６は、本体１の下面の一部を構成するものである。パネル２６は、本体１の下面の一部を構成するように、本体１の下側に設けられている。パネル２６には、排気用フィルター２１が本体１から引き出し可能なように、排気用フィルター２１の端部側が回転自在に固定されている。
【００２６】
（排気用フィルター２１）
排気用フィルター２１は、室内の空気に含まれる粗塵などを除去するためのフィルターであり、平面視形状が略長方形をしているものである。排気用フィルター２１の４つの端部側のうちの１つは、パネル２６に回転自在に固定されている。
【００２７】
［外気フィルターユニット２５の概要構成］
図５は、図４に示す外気フィルターユニット２５の斜視図である。図６は、図５の点線Ｖにおける外気フィルターユニット２５の断面図である。図７は、図５に示す外気フィルターユニット２５の分解斜視図である。図８は、図５に示す外気フィルターフレーム１０１の斜視図及び断面図である。なお、図８（ａ）〜図８（ｄ）は、外気フィルターユニット２５を見る角度を変えた斜視図であり、図８（ｅ）が、図８（ａ）の点線Ｗにおける断面図である。図５〜図８を参照して、外気フィルターユニット２５の概要構成、及び外気フィルターフレーム１０１について詳細に説明する。
【００２８】
外気フィルターユニット２５は、外気フィルターユニット２５の外郭を構成する外気フィルターフレーム１０１、たとえばユーザーなどの用途に応じて選定される任意のフィルター８０１、及び粗塵などを除去するための外気清浄フィルターユニット２０１を有している。
外気フィルターユニット２５には、図７に示すように、外気清浄フィルターユニット２０１及びフィルター８０１が、外気フィルターフレーム１０１から上下に引き出し可能なように設けられている。
【００２９】
（外気フィルターフレーム１０１）
外気フィルターフレーム１０１は、パッキン１８２などが設けられる基部１０１Ｄ、基部１０１Ｄの一端側に立設される第１側面部１０１Ａ、基部１０１Ｄの一端側に立設される第２側面部１０１Ｂ、一端が第１側面部１０１Ａに接続され、他端が第２側面部１０１Ｂに接続される梁部１０１Ｃを有している。
【００３０】
（基部１０１Ｄ）
基部１０１Ｄは、外気フィルターフレーム１０１の下側の外郭を構成するものである。基部１０１Ｄには、「一端」側に第１側面部１０１Ａが立設され、「他端」側に第２側面部１０１Ｂが立設される。ここで、「一端」及び「他端」とは、空気流れ方向から外気フィルターフレーム１０１を見たときに、外気フィルターフレーム１０１の幅における「一端」及び「他端」に対応している。
基部１０１Ｄには、外気フィルターユニット２５を取り出す際に保持するためのハンドル１０３、外気フィルターユニット２５を本体１内に取り付けるためのフィックスピース１０８、結露防止のための断熱材１０２、気密性を向上させるパッキン１８２、虫などが溜められる虫ストック部１３８、水などを貯留可能なプール大１５５及びプール小１５６が設けられている。
【００３１】
基部１０１Ｄには、第１送風機１２によって発生する吸引力により、フィルター８０１が変形することを抑制するため、位置決め凸部１７２が設けられている。
基部１０１Ｄには、鉛直方向に立設される壁１３７Ａ、及び鉛直方向に立設され、壁１３７Ａよりも下流側に設けられる壁１３７Ｂが設けられている。なお、壁１３７Ａ及び壁１３７Ｂは、虫ストック部１３８の一部を構成する。
基部１０１Ｄには、鉛直方向に立設されるプールサイド１３８Ａ、及び鉛直方向に立設され、プールサイド１３８Ａよりも下流側に設けられるプールサイド１３８Ｂが設けられている。なお、プールサイド１３８Ａ及びプールサイド１３８Ｂは、プール大１５５の一部を構成する。
【００３２】
基部１０１Ｄには、断熱材１０２を固定するための機構が備えられている。すなわち、基部１０１Ｄの下面側にはネジ受けボス１０６が設けられている。そして、断熱材１０２は、ワッシャー１０４を介してネジ１０５がネジ受けボス１０６に螺合されて固定されている。なお、固定方法についてはそれに限定されるものではなく、たとえば、ホットメルトのような接着材などで代用することも可能である。
【００３３】
基部１０１Ｄのうち、第１側面部１０１Ａより外側の端部と、第２側面部１０１Ｂより外側の端部と、基部１０１Ｄの上流側の端部とにパッキン１８２が設けられている。なお、基部１０１Ｄのうち、下流側の端部１８１にはパッキンが設けられていない。この端部１８１に対応する部分は、外気フィルターユニット２５が本体１に取り付けられた状態において、熱交換素子部ケーシング５１のパッキン７２に押しつけられるようにして設けられる。
【００３４】
（ハンドル１０３）
ハンドル１０３は、外気フィルターフレーム１０１を本体１から取り出すことができるように、ユーザーなどが保持する部分である。ハンドル１０３は、下側に突出するように、基部１０１Ｄの下面側に形成されている。
【００３５】
（フィックスピース１０８）
フィックスピース１０８は、本体１内に外気フィルターフレーム１０１を保持させるための部品である。フィックスピース１０８は、基部１０１Ｄの下面側に設けられている。すなわち、基部１０１Ｄの下面側にはネジ受けボス１０７が設けられており、フィックスピース１０８は、ネジ１０５がワッシャー１０４を介してネジ受けボス１０７に螺合されることで固定されている。
フィックスピース１０８は、水平方向に軸回転させることが可能となっている。すなわち、フィックスピース１０８は、たとえば９０度程度回転させられることで、外気フィルターユニット２５の受け部７１からの保持が解除され、外気フィルターユニット２５を本体１から取り外すことが可能となる（図４参照）。
なお、フィックスピース１０８を開いて受け部７１からの保持を解除することで、ユーザーは、ハンドル１０３を下方に引き出して外気フィルターユニット２５を本体１から取り出すことができる。
また、フィックスピース１０８が基部１０１Ｄに設けられ、受け部７１が本体１に設けられた例を説明したが、それに限定されるものではなく、フィックスピース１０８が本体１に設けられ、受け部７１が基部１０１Ｄに設けられていてもよい。
【００３６】
（断熱材１０２）
断熱材１０２は、外気雰囲気と室内雰囲気との境界部（気密部５３）に対応する位置に設けられているものである。すなわち、断熱材１０２は、外気フィルターユニット２５に供給された外気（図２のＳ参照）側と、本体１内に取り込まれた室内空気（図２のＥ参照）側とを断熱するように設けられているものである。なお、気密部５３の説明は、図１３及び図１４で詳細に説明する。
なお、断熱材１０２を構成するものは限定されるものではない。たとえば、断熱材１０２は、発泡スチロールのような剛性のある材料で構成するとよい。断熱材１０２を発泡スチロールで構成する場合には、ハンドル１０３の代替として、ハンドル１０３に対応する形状を断熱材１０２に形成してもよい。すなわち、断熱材１０２とハンドル１０３とを同体として形成してもよい。
【００３７】
（パッキン１８２）
パッキン１８２は、気密性を向上させる部材である。すなわち、パッキン１８２は、本体１内に取り込まれた室内空気（図２のＥ参照）と、外気フィルターユニット２５に供給された外気（図２のＳ参照）と、が混合してしまうことを抑制するための部材である。
パッキン１８２は、基部１０１Ｄが本体１に取り付けられた状態の本体１との接触位置に設けられているものである。すなわち、パッキン１８２は、第１側面部１０１Ａより外側の端部と、第２側面部１０１Ｂより外側の端部と、基部１０１Ｄの上流側の端部とに設けられており、平面視形状が略コの字である。
なお、パッキン１８２は、基部１０１Ｄの下流側の端部には設けられていない。その代わりに、本体１にパッキン７２が設けられている。
【００３８】
（虫ストック部１３８）
虫ストック部１３８は、メッシュフィルター３０４により外気から分離した粗塵などを貯留するためのものである。すなわち、虫ストック部１３８は、粗塵などが大量に捕集されて貯留されても、圧力損失が低下して換気性能が低下してしまうことを抑制するために、所定の貯留容積を有している。
虫ストック部１３８は、メッシュフィルター３０４の上流側に設けられている。また、虫ストック部１３８は、基部１０１Ｄの上面と、第１側面部１０１Ａの内側面と、第２側面部１０１Ｂの内側面と、壁１３７Ａ及び壁１３７Ｂとによって構成されている。
なお、外気フィルターユニット２５の清掃の際には、ユーザーが、虫ストック部１３８に溜まった粗塵などを、外気フィルターユニット２５を本体１から取り出した後に、掃除機などで吸引して除去することができるようになっている。
【００３９】
（プール大１５５）
プール大１５５は、水などを貯留可能なものである。たとえば、外気に霧を多く含む場合には、当該霧がメッシュフィルター３０４及び外気清浄フィルター２０２で凝縮し、自重で下方に流れ落ちる。プール大１５５は、この下方に流れ落ちた水を貯留するものである。
プール大１５５は、基部１０１Ｄの上面と、第１側面部１０１Ａの内側面（後述のプールサイド１５３Ａ）と、第２側面部１０１Ｂの内側面（後述のプールサイド１５３Ｂ）と、プールサイド１３８Ａ及びプールサイド１３８Ｂとによって構成されている。
プール大１５５は、給気風路と連通して設けられている。このため、プール大１５５内に貯留された水は、霧が納まった後、換気装置１００がたとえば数時間程度運転することで乾燥して除去される。
【００４０】
（プール小１５６）
プール小１５６も、プール大１５５と同様に水などを貯留可能なものである。プール小１５６は、メッシュフィルター３０４で凝縮した水のうち、メッシュフィルター３０４よりも上流側に流れ落ちた水を貯留するものである。
プール大１５５は、基部１０１Ｄの上面に形成された凹形状であり、第１側面部１０１Ａから第２側面部１０１Ｂに向かって伸びるように設けられている。
プール小１５６も、給気風路と連通して設けられている。このため、プール小１５６内に貯留された水は、霧が納まった後、換気装置１００がたとえば数時間程度運転することで乾燥して除去される。
【００４１】
（第１側面部１０１Ａ）
第１側面部１０１Ａは、基部１０１Ｄの一端側に立設されるものであり、外気清浄フィルターユニット２０１及びフィルター８０１を保持するものである。
第１側面部１０１Ａの内側面には、外気清浄フィルターユニット２０１を保持するとともに、プール大１５５の一部を構成するプールサイド１５３Ａが形成されている。このプールサイド１５３Ａは、外気清浄フィルターユニット２０１が外気フィルターフレーム１０１に格納された状態で、外気フィルターフレーム１０１の一方の側面と対向する位置に設けられる。
第１側面部１０１Ａの内側面には、外気清浄フィルターユニット２０１を保持するための第１壁部１８３Ａが形成されている。この第１壁部１８３Ａは、プールサイド１５３Ａに対して垂直に形成されている。
【００４２】
第１側面部１０１Ａの内側面であってプールサイド１５３Ａの下流側には、フィルター８０１を保持するための第１溝部１７１Ａが形成されている。この第１溝部１７１Ａは、フィルター８０１が外気フィルターフレーム１０１に格納された状態で、フィルター８０１の一方の側面側と対向する位置に設けられる。
第１外側面の外側面には、本体１に設置された状態で、後述の熱交換素子部ケーシング５１の第１凸部６４Ａと対向する位置に設けられる第１凹部１８５Ａが形成されている。
第１側面部１０１Ａの外側面には、本体１に外気フィルターユニット２５が取り付けられた状態において、パッキン５２に押しつけられるようにして設けられる第１リブ１３６Ａが形成されている。第１リブ１３６Ａは、鉛直方向に伸びるように形成されている。
【００４３】
（第２側面部１０１Ｂ）
第２側面部１０１Ｂは、第１側面部１０１Ａに対称な形状を有するものである。すなわち、第２側面部１０１Ｂは、基部１０１Ｄの他端側に立設されるものであり、外気清浄フィルターユニット２０１及びフィルター８０１を保持するものである。
第２側面部１０１Ｂの内側面には、外気清浄フィルターユニット２０１を保持するとともに、プール大１５５の一部を構成するプールサイド１５３Ｂが形成されている。このプールサイド１５３Ｂは、外気清浄フィルターユニット２０１が外気フィルターフレーム１０１に格納された状態で、外気フィルターフレーム１０１の他方の側面と対向する位置に設けられる。
第２側面部１０１Ｂの内側面には、外気清浄フィルターユニット２０１を保持するための第２壁部１８３Ｂが形成されている。この第２壁部１８３Ｂは、プールサイド１５３Ｂに対して垂直に形成されている。
【００４４】
第２側面部１０１Ｂの内側面であってプールサイド１５３Ｂの下流側には、フィルター８０１を保持するための第２溝部１７１Ｂが形成されている。この第２溝部１７１Ｂは、フィルター８０１が外気フィルターフレーム１０１に格納された状態で、フィルター８０１の他方の側面側と対向する位置に設けられる。
第２側面部１０１Ｂの外側面には、本体１に設置された状態で、後述の熱交換素子部ケーシング５１の第２凸部６４Ｂと対向する位置に設けられる第２凹部１８５Ｂが形成されている。
第２側面部１０１Ｂの外側面には、本体１に外気フィルターユニット２５が取り付けられた状態において、パッキン５２に押しつけられるようにして設けられる第２リブ１３６Ｂが形成されている。第２リブ１３６Ｂは、鉛直方向に伸びるように形成されている。
【００４５】
（梁部１０１Ｃ）
梁部１０１Ｃは、一端が第１側面部１０１Ａに接続され、他端が第２側面部１０１Ｂに接続されるものである。梁部１０１Ｃには、上側に突出して設けられる第３リブ１３６Ｃが形成されている。
第３リブ１３６Ｃは、第１側面部１０１Ａから第２側面部１０１Ｂに向かって伸びるように形成されている。より詳細には、梁部１０１Ｃは、外気フィルターユニット２５が本体１に取り付けられた状態において、水平面に対して平行に設けられている。
そして、第３リブ１３６Ｃは、その一端が第１リブ１３６Ａに接続され、他端が第２リブ１３６Ｂに接続されており、水平面に対して平行に設けられている。すなわち、第１リブ１３６Ａ、第２リブ１３６Ｂ及び第３リブ１３６Ｃを合わせて見たときには、略コの字形状をしている。
以下の説明において、第１リブ１３６Ａ、第２リブ１３６Ｂ及び第３リブ１３６Ｃを合わせて、コの字状リブ１３９とも称するものとする。
コの字状リブ１３９は、外気フィルターユニット２５が本体１に取り付けられた状態において、パッキン５２に押しつけられるようにして設けられる。これにより、給気風路の気密性が確保され、本体１内に導入された外気を確実に外気フィルターユニット２５内に供給することができる。すなわち、本体１内に導入された外気は、梁部１０１Ｃ、第１側面部１０１Ａ、第２側面部１０１Ｂ及び基部１０１Ｄによって形成されるロの字状の開口の内側を確実に通るということである。
【００４６】
（フィルター８０１）
フィルター８０１は、たとえばＮＯX （窒素酸化物）除去フィルターや脱臭フィルターなどのように、ユーザーなどの用途に応じて選定されるフィルターである。フィルター８０１の平面視形状は、略長方形をしている。
フィルター８０１は、図５に示すように、空気流れ方向に対して略垂直となるように、外気フィルターフレーム１０１に設けられている。より詳細には、フィルター８０１の下端部側が外気フィルターフレーム１０１の基部１０１Ｄに保持され、フィルター８０１の一方の側端部側が第１側面部１０１Ａに保持され、フィルター８０１の他方の側端部側が第２側面部１０１Ｂに保持される。
また、フィルター８０１は、空気流れ方向において、外気清浄フィルターユニット２０１の下流側に設けられている。
【００４７】
外気清浄フィルターユニット２０１は、粗塵などを除去するためのものである。外気清浄フィルターユニット２０１は、外郭を構成するメッシュフィルターフレーム３０１及び外気清浄フィルター保持枠４０１と、粗塵などを除去するメッシュフィルター３０４と、たとえば屋外の環境条件に応じて選定される外気清浄フィルター２０２とを有している。外気清浄フィルターユニット２０１の構成などについては、次の図９〜図１１の説明で詳述する。
【００４８】
（外気清浄フィルターユニット２０１）
図９は、図５に示す外気清浄フィルターユニット２０１の斜視図及び断面図である。図１０は、図５に示すメッシュフィルターフレーム３０１の斜視図及び断面図である。図１１は、図５に示す外気清浄フィルター保持枠４０１の斜視図及び断面図である。
なお、図９（ａ）〜図９（ｄ）は、外気清浄フィルターユニット２０１を見る角度を変えた斜視図であり、図９（ｅ）が、図９（ａ）の点線Ｘにおける断面図である。
また、図１０（ａ）〜図１０（ｄ）は、メッシュフィルターフレーム３０１を見る角度を変えた斜視図であり、図１０（ｅ）が、図１０（ａ）の点線Ｙにおける断面図である。
さらに、図１１（ａ）〜図１１（ｄ）は、外気清浄フィルター保持枠４０１を見る角度を変えた斜視図であり、図１１（ｅ）が、図１１（ａ）の点線Ｚにおける断面図である。図９〜図１１を参照するとともに前述した図７を参照して、外気清浄フィルターユニット２０１について説明する。
外気清浄フィルターユニット２０１は、上述のように、メッシュフィルターフレーム３０１、外気清浄フィルター保持枠４０１、メッシュフィルター３０４、及び外気清浄フィルター２０２を有している。
【００４９】
（メッシュフィルターフレーム３０１）
メッシュフィルターフレーム３０１は、メッシュフィルター３０４を保持するとともに、外気清浄フィルター保持枠４０１と共に外気清浄フィルター２０２を収納するものである。メッシュフィルターフレーム３０１は、空気流れ方向において、外気清浄フィルター保持枠４０１よりも上流側に位置するように設けられるものである。
メッシュフィルターフレーム３０１は、空気流れ方向に垂直な断面形状が、長方形形状をしてるものである。すなわち、メッシュフィルターフレーム３０１は、上面、下面及び両側面を有し、前面側及び後面側が開放された形状をしているものである。そして、メッシュフィルターフレーム３０１には、メッシュフィルター３０４の前面側に接触して保持するリブ３０３が３本形成されている。なお、リブ３０３の本数は、３本に限定されるものではない。
【００５０】
メッシュフィルターフレーム３０１の前側には、外気清浄フィルターユニット２０１が外気フィルターフレーム１０１に収納された状態において、第１側面部１０１Ａに形成された第１壁部１８３Ａと接触する第１接触部３０２Ａ、及び第２側面部１０１Ｂに形成された第２壁部１８３Ｂと接触する第２接触部３０２Ｂが形成されている。
メッシュフィルターフレーム３０１の後側の下端部には、外気清浄フィルター保持枠４０の下端部に接続される稜３０７が設けられている。
【００５１】
メッシュフィルターフレーム３０１は、空気流れ方向に対して略垂直となるように、外気フィルターフレーム１０１に設けられている。より詳細には、メッシュフィルターフレーム３０１の下端部側が外気清浄フィルター保持枠４０１の下端部側に嵌め合わされて保持され（図１３参照）、第１接触部３０２Ａが第１壁部１８３Ａに押しつけられて保持され、第２接触部３０２Ｂが第２壁部１８３Ｂに押しつけられて保持される。
メッシュフィルターフレーム３０１は、外気清浄フィルター保持枠４０１と嵌合した状態において、外気清浄フィルター２０２及びメッシュフィルター３０４が収納される空間を形成する。すなわち、メッシュフィルターフレーム３０１と外気清浄フィルター保持枠４０１との間には、所定の間隔２０３が設けられており、外気清浄フィルター２０２及びメッシュフィルター３０４を収納可能となっている。
メッシュフィルターフレーム３０１の上部には、外気清浄フィルター保持枠４０と嵌合するためのツメ部３０５Ａ及び半球形状の突起４０４Ａが形成されている（図１３参照）。このツメ部３０５Ａは、外気フィルターフレーム１０１から外気清浄フィルターユニット２０１を取り出すときの取手の役割も果たしている。
【００５２】
メッシュフィルターフレーム３０１の後側の外周部には、外気清浄フィルター保持枠４０１との嵌合をより確実なものとする契合凹部３０８が形成されている。また、この契合凹部３０８により、外気清浄フィルター保持枠４０１との嵌合が確実となるとともに、メッシュフィルターフレーム３０１の変形を抑制することができる。すなわち、この契合凹部３０８により、メッシュフィルターフレーム３０１と外気清浄フィルター保持枠４０１との嵌合が確実となるとともに、経年変化にも耐えうる構造となる。
【００５３】
（外気清浄フィルター保持枠４０１）
外気清浄フィルター保持枠４０１は、メッシュフィルターフレーム３０１と共に外気清浄フィルター２０２を収納するものである。外気清浄フィルター保持枠４０１は、空気流れ方向において、メッシュフィルターフレーム３０１よりも上流側に位置するように設けられるものである。
外気清浄フィルター保持枠４０１も、メッシュフィルターフレーム３０１と同様に、空気流れ方向に垂直な断面形状が、長方形形状をしているものである。すなわち、外気清浄フィルター保持枠４０１は、上面、下面及び両側面を有し、前面側及び後面側が開放された形状をしているものである。そして、外気清浄フィルター保持枠４０１には、外気清浄フィルター２０２の後面側に接触して保持するリブ４０２が３本形成されている。なお、リブ４０２の本数は、３本に限定されるものではない。
【００５４】
外気清浄フィルター保持枠４０１には、外気清浄フィルター２０２の後面側に接触して保持するリブ４０２が３本形成されている。なお、リブ４０２の本数は、３本に限定されるものではない。
外気清浄フィルター保持枠４０１の両側面には、外気清浄フィルターユニット２０１を外気フィルターフレーム１０１に収納する際のガイトとなる第１挿入ガイド４０７Ａ及び第２挿入ガイド４０７Ｂが形成されている。
外気清浄フィルター保持枠４０１の前側の下端部には、外気清浄フィルター保持枠４０の稜３０７に接続される稜４０５が設けられている。
【００５５】
外気清浄フィルター保持枠４０１もメッシュフィルターフレーム３０１と同様に、空気流れ方向に対して略垂直となるように、外気フィルターフレーム１０１に設けられている。より詳細には、外気清浄フィルター保持枠４０１の下端部側がメッシュフィルターフレーム３０１の下端部側に嵌め合わされて保持され（図１３参照）、第１挿入ガイド４０７Ａが第１側面部１０１Ａ（プールサイド１５３Ａ）に保持され、第２挿入ガイド４０７Ｂが第２側面部１０１Ｂ（プールサイド１５３Ｂ）に保持される。
【００５６】
なお、第１挿入ガイド４０７Ａと第１側面部１０１Ａ及び第２挿入ガイド４０７Ｂと第２側面部１０１Ｂは、外気清浄フィルターユニット２０１が外気フィルターフレーム１０１に格納された状態では所定の間隔を確保して設けられている。この所定の間隔によって、第１壁部１８３Ａと第１接触部３０２Ａ及び第２壁部１８３Ｂと第２接触部３０２Ｂとの面合わせの状態を保つことができる。その結果、本体１内に導入された外気を確実に外気フィルターユニット２５内に供給することができる。すなわち、本体１内に導入された外気は、梁部１０１Ｃ、第１側面部１０１Ａ、第２側面部１０１Ｂ及び基部１０１Ｄによって形成されるロの字状の開口の内側を確実に通るということである。なお、第１挿入ガイド４０７Ａ及び第２挿入ガイド４０７Ｂは、メッシュフィルターフレーム３０１に設けられていてもよい。
外気清浄フィルター保持枠４０１の上部には、メッシュフィルターフレーム３０１と嵌合するためのツメ部３０５Ｂ及び半球形状の突起４０４Ｂが形成されている（図１３参照）。このツメ部３０５Ｂは、ツメ部３０５Ａとともに、外気フィルターフレーム１０１から外気清浄フィルターユニット２０１を取り出すときの取手の役割も果たしている。
【００５７】
外気清浄フィルター保持枠４０１の前側の外周部には、外気清浄フィルター保持枠４０１の契合凹部３０８に嵌め込まれる契合凸部４０６が形成されている。この契合凸部４０６により、メッシュフィルターフレーム３０１との嵌合が確実となるとともに、外気清浄フィルター保持枠４０１の変形を抑制することができる。すなわち、この契合凸部４０６により、メッシュフィルターフレーム３０１と外気清浄フィルター保持枠４０１との嵌合が確実となるとともに、経年変化にも耐えうる構造となる。
【００５８】
なお、メッシュフィルターフレーム３０１と外気清浄フィルター保持枠４０１との嵌合方法には、ツメ部３０５Ａ、３０５Ｂ、突起４０４Ａ、４０４Ｂ、及び稜３０７、４０５が採用されているが、それに限定されるものではない。
たとえば、別部品として蝶つがいのような部品を用いてもよい。また、ツメ部３０５Ａ、３０５Ｂ、突起４０４Ａ、４０４Ｂ、及び稜３０７、４０５を設ける代わりに、メッシュフィルターフレーム３０１と外気清浄フィルター保持枠４０１のうちのどちらかの稜を引っ掛け構造とし、もう一方の稜を引っ掛け受け構造などとしてもよい。さらに、ツメ部３０５Ａ、３０５Ｂ、突起４０４Ａ、４０４Ｂ、及び稜３０７、４０５を設ける代わりに、はめ合わせやスライドやマジックテープ（登録商標）などを採用してもよい。
【００５９】
（メッシュフィルター３０４）
メッシュフィルター３０４は、粗塵などを除去するためのフィルターである。メッシュフィルター３０４は、外気に含まれる大半の粗塵などを除去するように構成される。これにより、メッシュフィルター３０４の下流側の外気清浄フィルター２０２の捕集寿命を延ばすことができるようになっている。
メッシュフィルター３０４は、空気流れ方向に対して略垂直となるように、外気清浄フィルターユニット２０１に設けられている。より詳細には、メッシュフィルター３０４は、その前面側がリブ３０３の後面側と接触するように設けられ、メッシュフィルター３０４の後面側が外気清浄フィルター２０２の前面側と接触するように設けられている。
なお、メッシュフィルター３０４は、外気フィルターユニット２５に設けず、梁部１０１Ｃ、第１側面部１０１Ａ、第２側面部１０１Ｂ及び基部１０１Ｄによって形成されるロの字状の開口の形成位置に備えられていてもよい。
【００６０】
（外気清浄フィルター２０２）
外気清浄フィルター２０２は、粗塵などのうち、花粉や細かい塵埃を除去するフィルターであり、たとえば、中性能花粉フィルター、高性能除塵フィルターなどを採用するとよい。
外気清浄フィルター２０２は、空気流れ方向に対して略垂直となるように、外気清浄フィルターユニット２０１に設けられている。より詳細には、外気清浄フィルター２０２は、その前面側がメッシュフィルター３０４の後面側と接触するように設けられ、外気清浄フィルター２０２の後面側がリブ４０２の前面側と接触するように設けられている。
【００６１】
図１２は、メッシュフィルターフレーム３０１と外気清浄フィルター保持枠４０１の嵌合機構の説明図である。なお、図１２（ａ）は、外気清浄フィルター保持枠４０１に対するメッシュフィルターフレーム３０１の開き角度が８度の状態を示している。そして、図１２（ｂ）が２度の状態であり、図１２（ｃ）がメッシュフィルターフレーム３０１と外気清浄フィルター保持枠４０１とが嵌合した状態を示している。図１２を参照して、メッシュフィルターフレーム３０１と外気清浄フィルター保持枠４０１との嵌合方法について説明する。
【００６２】
図１２（ａ）に示すように、メッシュフィルターフレーム３０１及び外気清浄フィルター保持枠４０１は、稜３０７と稜４０５とを嵌め合わせ、稜３０７及び稜４０５に対応する部分を支点として開閉可能となっている（図１２（ａ）参照）。
図１２（ａ）の状態から、稜３０７及び稜４０５に対応する部分を支点として閉めていくと、ツメ部３０５Ａと突起４０４Ｂとが接触するとともに、ツメ部３０５Ｂと突起４０４Ａとが接触する状態となる（図１２（ｂ）参照）。
【００６３】
図１２（ｂ）の状態からさらに閉めていくと、ツメ部３０５Ａは、ツメ部３０５Ａのメッシュフィルターフレーム３０１の上面に対する付け根部分である稜３０９を支点としてしなりながら突起４０４Ｂを乗り超える（図１２（ｃ）参照）。同様に、ツメ部３０５Ｂは、ツメ部３０５Ｂの外気清浄フィルター保持枠４０１の上面に対する付け根部分である稜（図示省略）を支点としてしなりながら突起４０４Ａを乗り超える。
【００６４】
図１２（ｃ）の状態は、ツメ部３０５Ａが突起４０４Ｂを抱える状態となっているとともに、ツメ部３０５Ｂが突起４０４Ａを抱える状態となっており、外気清浄フィルターユニット２０１の閉状態（ロック状態）である。すなわち、ツメ部３０５Ａ、３０５Ｂのうち突起４０４Ａ、４０４Ｂと嵌合する部分の水平断面形状が略Ｌ字状になっており、当該Ｌ字部分に突起４０４Ａ、４０４Ｂが収まることで、メッシュフィルターフレーム３０１と外気清浄フィルター保持枠４０１とが固定されるということである。
なお、外気清浄フィルターユニット２０１を開状態から開状態とする場合には、図１２（ａ）、図１２（ｂ）及び１２（ｃ）の動作が逆となる。
【００６５】
［熱交換素子部ケーシング５１及び気密性を確保する方法など］
図１３は、外気フィルターユニット２５を取り外した状態における換気装置１００の断面図である。図１４は、外気フィルターユニット２５を取り付けた状態における換気装置１００の断面図である。なお、図１３（ａ）及び図１４（ａ）は空気流れ方向に平行な面における換気装置１００の縦断面図である。また、図１３（ｂ）及び図１４（ｂ）は図面中の点線Ａに平行な面における断面図（水平断面図）である。図１３及び図１４を参照して気密部５３などについて説明する。
【００６６】
（熱交換素子部ケーシング５１）
熱交換素子部ケーシング５１は、本体１の内部に設けられ、熱交換素子部１１が搭載される空間、外気フィルターユニット２５が搭載される空間、第２送風機１４が設置される空間などを有するものである。
熱交換素子部ケーシング５１の上流側には、外気フィルターユニット２５が設けられ、熱交換素子部ケーシング５１の下流側には熱交換素子部１１が設けられる。さらに、熱交換素子部ケーシング５１のうち、外気フィルターユニット２５及び熱交換素子部１１が設けられる位置の上方には、第２送風機１４が設けられている。
【００６７】
熱交換素子部ケーシング５１には、外気フィルターユニット２５を取り付けるために下側が開放されている。この開放された部分には、外気フィルターユニット２５が本体１に取り付けられた状態において基部１０１Ｄが配置される。ここで、給気風路と排気風路とは、基部１０１Ｄの周端部を介して連通してしまう可能性があるので、当該周端部にパッキン１８２及びパッキン７２が設けられるようになっている。
熱交換素子部ケーシング５１には、コの字状リブ１３９が押しつけられて設けられるパッキン５２が設けられている。このパッキン５２も、コの字状リブ１３９と対応して、コの字状に熱交換素子部ケーシング５１に設けられている。また、熱交換素子部ケーシング５１には、基部１０１Ｄの端部１８１が押しつけられるパッキン７２が設けられている。
【００６８】
熱交換素子部ケーシング５１には、外気フィルターユニット２５が本体１に取り付けられた状態において、第１側面部１０１Ａのプールサイド１５３Ａと対向する第１取付面部６１Ａが形成され、第２側面部１０１Ｂのプールサイド１５３Ｂと対向する第２取付面部６１Ｂが形成されている。
第１取付面部６１Ａ及び第２取付面部６１Ｂには、パッキン５２のうちの一部が設けられている。パッキン５２のうち、第１取付面部６１Ａ及び第２取付面部６１Ｂに設けられている部分は、鉛直方向に平行に設けられている。
熱交換素子部ケーシング５１には、外気フィルターユニット２５が本体１に取り付けられた状態において、第１側面部１０１Ａの第１凹部１８５Ａと対向する第１凸部６４Ａが形成され、第２側面部１０１Ｂの第２凹部１８５Ｂと対向する第２凸部６４Ｂが形成されている。
なお、第１凸部６４Ａと第１凹部１８５Ａとの寸法公差、及び第２凸部６４Ｂと第２凹部１８５Ｂとの寸法公差は、許容する最小クリアランスとするとよい。これにより、コの字状リブ１３９とパッキン５２にかかる負圧を抑制することができる。
また、第１凸部６４Ａ及び第２凸部６４Ｂが熱交換素子部ケーシング５１に形成される数は特に限定されるものではなく、複数であってもよい。この場合には、第１凸部６４Ａ及び第２凸部６４Ｂの数だけ、第１凹部１８５Ａ及び第２凹部１８５Ｂを、第１側面部１０１Ａ及び第２側面部１０１Ｂに形成すればよい。
【００６９】
熱交換素子ケーシング５１のうち、外気フィルターユニット２５が本体１に取り付けられた状態において、外気フィルターユニット２５の上部に対向する位置に、第３取付面部６１Ｃが形成されている。
第３取付面部６１Ｃには、パッキン５２の一部が設けられるとともに、外気フィルターユニット２５が本体１に取り付けられた状態において、ツメ部３０５Ａ、３０５Ｂが収納される空間である凹部２０６が形成されている。パッキン５２のうち、第３取付面部６１Ｃに設けられている部分は、水平面に平行に設けられている。
【００７０】
（気密性を確保する方法１）
気密部５３は、熱交換素子部ケーシング５１の下側に形成され、外気フィルターユニット２５を取り付けるための開放部分に形成されているものである。より詳細には、気密部５３は、外気フィルターユニット２５が本体１に取り付けられた状態の基部１０１Ｄの周端部に対応する位置に形成されているものである。この気密部５３には、パッキン１８２及びパッキン７２が設けられ、給気風路と排気風路とが連通してしまうことが抑制されるようになっている。すなわち、パッキン１８２及びパッキン７２が基部１０１Ｄと熱交換素子部ケーシング５１に押しつけられるように設けられることによって、給気風路と排気風路とが連通してしまうことが抑制され、本体１内に取り込まれた室内空気（図２のＥ参照）と、外気フィルターユニット２５に供給された外気（図２のＳ参照）と、が混合してしまうことが抑制される。
【００７１】
（気密性を確保する方法２）
受け部７１は、外気フィルターユニット２５が本体１に取り付けられた状態において、フィックスピース１０８から下向きの力を受けている。この下向きの力は、外気フィルターユニット２５の自重、パッキン５２、パッキン７２、及びパッキン１８２の圧縮により発生する力などである。その一方で、フィックスピース１０８は、受け部７１に確実に固定されることにより、上向きの力を受けている。
すなわち、熱交換素子部ケーシング５１に設けられたパッキン５２には、外気フィルターユニット２５が本体１に取り付けられた状態において、コの字状リブ１３９が押しつけられるということである。
ここで、コの字状リブ１３９を構成する第１リブ１３９Ａ及び第２リブ１３９Ｂが鉛直方向に伸びるように形成されており、第３リブが水平面に平行に伸びるように形成されている。一方、パッキン５２のうち、第１取付面部６１Ａ及び第２取付面部６１Ｂに設けられた部分が鉛直方向に平行に設けられ、第３取付面部６１Ｃに設けられた部分が水平面に平行に設けられている。その結果、外気フィルターユニット２５が本体１に取り付けられても、水平方向の反力が発生することが抑制され、外気フィルターユニット２５の組み付けバラツキを抑制することができる。
また、給気風路の気密性が確保され、本体１内に導入された外気を確実に外気フィルターユニット２５内に供給することができる。すなわち、本体１内に導入された外気は、梁部１０１Ｃ、第１側面部１０１Ａ、第２側面部１０１Ｂ及び基部１０１Ｄによって形成されるロの字状の開口の内側を確実に通るということである。
【００７２】
［給気及び排気の流れ］
外気ダクト接続口２３から導入された外気（給気）は、メッシュフィルター３０４を通過する。ここで虫などの粗塵が除去される。虫などの粗塵は、そのままメッシュフィルター３０４上に留まるか、もしくは自重で落下し虫ストック部１３８に貯留される。
メッシュフィルター３０４を通過した花粉などの微細な集塵は、外気清浄フィルター２０２で捕集される。このように、メッシュフィルター３０４及び外気清浄フィルター２０２を通過した給気は、熱交換素子部１１に流入して排気と熱交換した後に、給気ダクト接続口２４から放出される。
【００７３】
排気用フィルター２１で粗塵などが除去された後に本体１内に流入した室内空気（排気）は、熱交換素子部１１に流入して給気と熱交換した後に、第２送風機１４を介して排気ダクト接続口から放出される。
【００７４】
［実施の形態に係る換気装置１００の有する効果］
本実施の形態に係る換気装置１００は、メッシュフィルター３０４及び外気清浄フィルター２０２が、外気清浄フィルターユニット２０１に一体として設けられている。すなわち、外気清浄フィルターユニット２０１を換気装置１００から取り出すことで、メッシュフィルター３０４及び外気清浄フィルター２０２を同時に取り出すことができるため、メンテナンスしやすくなっている。
【００７５】
本実施の形態に係る換気装置１００は、コの字状リブ１３９を構成する第１リブ１３９Ａ及び第２リブ１３９Ｂが鉛直方向に伸びるように形成されており、第３リブが水平面に平行に伸びるように形成されている。一方、パッキン５２のうち、第１取付面部６１Ａ及び第２取付面部６１Ｂに設けられた部分が鉛直方向に平行に設けられ、第３取付面部６１Ｃに設けられた部分が水平面に平行に設けられている。これにより、外気フィルターユニット２５が本体１に取り付けられても、水平方向の反力が発生することが抑制され、外気フィルターユニット２５の組み付けバラツキを抑制することができる。また、組み付けバラツキを抑制のためのパッキンなどの部品を設けなくてもよい分、部品点数を抑制することができ、製造コストの上昇を抑制することができる。
【００７６】
本実施の形態に係る換気装置１００は、外気フィルターユニット２５に切れ目のないコの字状リブ１３９を備えているため、梁部１０１Ｃ、第１側面部１０１Ａ、第２側面部１０１Ｂ及び基部１０１Ｄによって形成されるロの字状の開口の内側を確実に通る。これにより、粗塵などを確実にメッシュフィルター３０４へ導くことができる。
【００７７】
本実施の形態に係る換気装置１００は、メッシュフィルター３０４の上流側に虫ストック部１３８を備えるため、粗塵などが大量に捕集されて貯留されても、圧力損失が低下して換気性能が低下してしまうことを抑制することができる。また、溜まった粗塵などは、清掃の際、掃除機などで直接吸引しゴミを除去することができる。すなわち、本体１から外気フィルターユニット２５を取り出す際に、虫が手についたり、部屋の中に落下したりすることなく清潔に清掃することができる。
【００７８】
本実施の形態に係る換気装置１００は、断熱材１０２を備えているため、外気環境と室内環境との温湿度差が大きい条件においても、外気フィルターユニット２５のうち給気風路側に結露が発生することが抑制される。
また、断熱材１０２とハンドル１０３とを同体として形成してもよく、その場合には、ハンドル１０３の機能を有する別部品を必要としない分、製造コストを抑制することができる。
【００７９】
本実施の形態に係る換気装置１００は、外気フィルターユニット２５を本体１に取り付けるフィックスピース１０８が設けられているため、外気フィルターユニット２５を容易に着脱することができ、メンテナンスしやすくなっている。
【００８０】
本実施の形態に係る換気装置１００は、プール大１５５及びプール小１５６を備えているため、たとえば、濃い霧や大雨などで外気に霧が多く含まれている場合でも、メッシュフィルター３０４や外気清浄フィルター２０２で凝縮した水を貯留することが可能であり、換気装置１００に搭載される電子部品の故障、及び室内に水が漏出することを抑制することができる。
【００８１】
本実施の形態に係る換気装置１００は、メッシュフィルター３０４の下流側にフィルター８０１を設けることができる。たとえば、フィルター８０１に、たとえばＮＯX 除去フィルターや脱臭フィルターなどのように、ユーザーなどの用途に応じて選定することで、ＮＯX を除去や脱臭をすることができる。
【符号の説明】
【００８２】
１  本体、２  外気給気口、３  室内給気口、４  室内排気口、５  室外排気口、１１  熱交換素子部、１２  第１送風機、１２Ａ  ファン、１２Ｂ  電動機、１４  第２送風機、１４Ａ  ファン、１４Ｂ  電動機、１５  排気用ファン、２１  排気用フィルター、２２  排気ダクト接続口、２２Ａ  排気ダクト、２３  外気ダクト接続口、２３Ａ  外気ダクト、２４  給気ダクト接続口、２４Ａ  給気ダクト、２５  外気フィルターユニット、２６  パネル、４０  外気清浄フィルター保持枠、５１  熱交換素子部ケーシング、５２  パッキン（第１パッキン）、５３  気密部、６１  凸部、６１Ａ  第１取付面部、６１Ｂ  第２取付面部、６１Ｃ  第３取付面部、６４Ａ  第１凸部、６４Ｂ  第２凸部、７１  受け部、７２  パッキン（第２パッキン）、１００  換気装置、１０１  外気フィルターフレーム、１０１Ａ  第１側面部、１０１Ｂ  第２側面部、１０１Ｃ  梁部、１０１Ｄ  基部、１０２  断熱材、１０３  ハンドル、１０４  ワッシャー、１０５  ネジ、１０６  ネジ受けボス、１０７  ネジ受けボス（第４係止部）、１０８  フィックスピース（第４係部）、１３６Ａ  第１リブ、１３６Ｂ  第２リブ、１３６Ｃ  第３リブ、１３７Ａ、１３７Ｂ  壁、１３８  虫ストック部、１３８Ａ、１３８Ｂ  プールサイド、１３９  コの字状リブ、１５３Ａ、１５３Ｂ  プールサイド、１５５  プール大、１５６  プール小、１７１Ａ  第１溝部、１７１Ｂ  第２溝部、１７２  位置決め凸部、１８１  端部、１８２  パッキン（第２パッキン）、１８３Ａ  第１壁部、１８３Ｂ  第２壁部、１８５Ａ  第１凹部、１８５Ｂ  第２凹部、２０１  外気清浄フィルターユニット、２０２  外気清浄フィルター（第１フィルター）、２０３  間隔、２０５  内側上面部、２０６  凹部、３０１  メッシュフィルターフレーム、３０２Ａ  第１接触部、３０２Ｂ  第２接触部、３０３  リブ、３０４  メッシュフィルター（第１フィルター）、３０５Ａ、３０５Ｂ  ツメ部、３０７  稜、３０８  契合凹部、３０９  稜、４０１  外気清浄フィルター保持枠、４０２  リブ、４０４Ａ、４０４Ｂ  突起、４０５  稜、４０６  契合凸部、４０７Ａ  第１挿入ガイド、４０７Ｂ  第２挿入ガイド、８０１  フィルター（第２フィルター）。
【図２】
0005674633.tif 000002
【図３】
0005674633.tif 000003
【図４】
0005674633.tif 000004
【図５】
0005674633.tif 000005
【図６】
0005674633.tif 000006
【図７】
0005674633.tif 000007
【図８】
0005674633.tif 000008
【図９】
0005674633.tif 000009
【図１０】
0005674633.tif 000010
【図１１】
0005674633.tif 000011
【図１２】
0005674633.tif 000012
【図１３】
0005674633.tif 000013
【図１４】
0005674633.tif 000014
【図１】
0005674633.tif 000015